Podtech/llm-jp-corpus-v4-ja_patent huggingface dataset:
(57)【要約】【課題】安価で、アーム２収納状態で取付穴１Ｂに掛からないよう構成する。【解決手段】アーム２収納状態で取付穴１Ｂに掛からないようにするため、器具本体１の半径方向線に対して直角に交差せず鋭角状に交差するように傾斜させることにより、収納時取付穴１Ｂに掛からないようにする。【選択図】    図１
2004207188.tif 000002
【特許請求の範囲】
【請求項１】
天井面に固定する器具本体とその下面側を覆う透光カバーを備え、前記器具本体に附属するスイッチ操作用の引き紐を備え、前記器具本体に回動可能なように蝶着され該器具本体の外周外側位置から前記引き紐を垂下するためのアームを備える引き紐操作形照明器具において、
前記アームの基部における前記回動のための回転軸線を、前記器具本体の半径方向線に対して直角に交差せず鋭角状に交差するように傾斜させたことを特徴とする引き紐操作形照明器具。
【発明の詳細な説明】
【発明の属する技術分野】
【０００１】
本発明は天井直付器具のスイッチ操作用の引き紐をアームにより、横出しする構造において、不必要時のアーム収納構造に関するものである。
【０００２】
【従来の技術】
従来技術として、図３のように不必要時にアーム収納する際，アームの基部における回動のための回転軸線を、器具本体の半径方向線に対して直角に交差させる構造は公知である。
また、もう一つの不必要時のアーム収納方法として、図４のように板状アームの一端を適度に可動可能なように鋲螺類で固定する構造も公知である。
【０００３】
【発明が解決しようとする課題】
前記従来技術においては、前記後者は、鋲螺類を必要とし部品点数が多くなり、さらに、適度に可動可能なようにさせる調整を必要とするため組立性が良くなく、原価高となる。前記前者は、部品は１点で済み、安価ではあるが、不必要時にアーム収納する際，アームの基部における回動のための回転軸線を、器具本体の半径方向線に対して直角に交差するように構成していたため、アームが長くなる場合、器具本体の中央部取付穴に掛かり、取付けの障害となる。
本発明の目的は、安価で、アーム収納状態で取付穴に掛からないよう構成させることである。
【０００４】
【課題を解決するための手段】
本発明は、アーム収納状態で取付穴に掛からないようにするため、器具本体の半径方向線に対して直角に交差せず鋭角状に交差するように傾斜させることにより、収納時取付穴に掛からないようにするものである。
【０００５】
【発明の実施の形態】
図３・図４を用いて本発明の実施形態について説明する。図３に示すように、器具本体１背面にアーム２が回動可能なように蝶着させるブリツン状の切起し１Ａをアーム２の基部における回動のための回転軸線１Ｃを、器具本体１の半径方向線に対して直角に交差せず鋭角状に交差するように傾斜させて設け、使用する場合はアーム２を回動し器具本体１の半径方向外側位置から引き紐３を垂下する（図２）。用しない場合は器具本体１背面側に回動することにより、半径方向線に対して鋭角状に傾斜した回転軸線を中心に反転するため器具本体１の取付穴１Ｂを回避するように構成した。
【０００６】
【発明の効果】
本発明は、構成部品を増やすことなく、アームの回動軸線を傾けるだけで器具本体の取付穴を回避可能となる安価な構造が得られる。
【図面の簡単な説明】
【図１】本発明の器具本体背面図である。
【図２】本発明の器具使用状態斜視図である。
【図３】従来の回動式の器具本体背面図である。
【図４】従来の板状アーム式の器具本体背面図である。
【符号の説明】
１：器具本体、１Ａ：切起し、１Ｂ：取付穴、１Ｃ：回転軸線、２：アーム、３：引き紐
【図１】
2004207188.tif 000003
【図２】
2004207188.tif 000004
【図３】
2004207188.tif 000005
【図４】
2004207188.tif 000006
(57)【要約】【課題】照明器具を取り付けるための取付穴を天井部材にあける加工（作業）の廃止、及び取付ボルトなどで照明器具の取付る作業を簡素化することにより、省施工をはかる。【解決手段】照明器具本体１０の上面に支持梁（レースウェイなど）５０上側から着脱自在に係合する止め具３０を照明器具に具備することにより、天井部材と照明器具を係合せさる。【選択図】    図１
2004207190.tif 000002
【特許請求の範囲】
【請求項１】
天井を縦横に走る支持梁の交点付近に照明器具本体の上面側を装着する直付形照明器具の取付け構造において、前記交点から放射状に延在する前記各支持梁の交点近傍の各箇所に上側から着脱自在に係合するほば逆し字形の４本の止め具を備え、前記各止め具を前記照明器具本体における上面周辺箇所に散在するように固定し、
当該各止め具の向きは当該照明器具本体を垂直軸回りに回動させることとよって前記各支持梁の前記各箇所への係合が可能となるように定めたことを特徴とする直付形照明器具の取付け構造。
【発明の詳細な説明】
【０００１】
【発明の属する技術分野】
本発明は、いわゆるレースウエイ工法などで施工された天井に取付けて使用する直付形照明器具に関する。
【０００２】
【従来の技術】
従来の技術では、レースウェイ工法などで施工された天井材に照明器具を取付ける方法としては、天井材に照明器具を取付けるための取付穴が必要であり、天井材に取付穴をあける加工（作業）をおこなった後に、取付ボルトなどにより照明器具を吊り天井材に取付ける必要であった。
【０００３】
【発明が解決しようとする課題】
上記従来技術の問題点であった、照明器具を取り付けるための取付穴を天井部材にあける加工（作業）の廃止、及び取付ボルトなどで照明器具の取付る作業を簡素化することにより、省施工をはかること…が本発明の課題である。
【０００４】
【課題を解決するための手段】
上記目的を解決する為に、照明器具本体の上面に支持梁（レースウェイなど）上側から着脱自在に係合する止め具を照明器具に具備することにより、天井部材と照明器具を係合せさる。
【０００５】
【発明の実施の形態】
本発明の実施形態を図１〜図３より説明する。天井を縦横に走る支持梁５０の交点５２から放射状に延在する各支持梁５０の交点５２近傍に、支持梁５０の上側から着脱自在に係合するほぼ逆し字形である４本の止め具３０の照明器具本体１０への固定（配置）は上面１２周辺箇所に散在させ、かつ逆し字形止め具３０の向きは当該照明器具本体１０を垂直軸７０で回転動作７２させることるこより止め具３０の受け面３２が支持梁５０の側面５４に接触することにより、縦横に走る支持梁交点５２に対し照明器具本体１０を中心に配置させ、照明器具本体１０の落とし込み動作７６をさせることによって各支持梁５０への照明器具本体１０の係合が河能となるように逆し字形止め具３０を追い回し状に固定（配置）する。
前記逆し字形止め具３０を追い回し状に固定（配置）することにより、照明器具本体１０を垂直軸７０で回転動作７４させることにより照明器具本体１０は支持梁５０よりの取外しを可能とし、単方向よりの外力では止め具３０の受け面３２が支持梁５０の側面５４に接触するため照明器具本体１０は支持梁５０より外れなく、地震などは単方向の外力であると考えられるため支持梁５０への照明器具本体１０の固定を確実なものとする。
【０００５】
【発明の効果】
本発明によれば、照明器具の取付け作業を容易にすると共に、照明器具のレイアウト変更にも容易に対応ができる。
【図面の簡単な説明】
【図１】本発明に係る照明器具取付前の斜視図である。
【図２】その照明器具取付動時の斜視図である。
【図３】その照明器具取付後の斜視図である。
【符号の説明】
１０．．．照明器具本体
１２．．．照明器具本体１０の上面
３０．．．照明器具上面１２に固定された止め具
３２．．．止め具３０の受け面
５０．．．支持梁（レースウエイ）
５２．．．縦横に配置された支捧梁５０の交点
５４．．．支持梁５０の側面
７０．．．回転軸
７２．．．取付け回転動作
７４．．．取外し回転動作
７６．．．落とし込み動作
【図１】
2004207190.tif 000003
【図２】
2004207190.tif 000004
【図３】
2004207190.tif 000005
(57)【要約】【課題】従来は蛍光灯４０の寿命末期時と蛍光灯４０が挿入されない場合の保護回路は個別に設ける必要がある。そこで、蛍光灯４０と並列にコンデンサ２３を追加することによって、蛍光灯４０の寿命末期時の保護回路と蛍光灯４０の無負荷時の保護回路を共通にすることが可能となり保護を蛍光灯４０の寿命末期時に確実に動作させることができる。【解決手段】蛍光灯４０と並列にコンデンサ２３を追加することによって、蛍光灯４０の寿命末期時の保護回路と共通にすることが可能となり、蛍光灯４０の寿命末期時に保護を確実に動作させることができる。【選択図】    図２
2004207193.tif 000002
【特許請求の範囲】
【請求項１】
蛍光灯と並列に接続したコンデンサによって、蛍光灯の正常点灯時と蛍光灯寿命末期時との電圧の差異を検出して蛍光灯の負荷時を含む蛍光灯寿命末期時の保護回路を備える蛍光灯寿命末期時の保護方式。
【発明の詳細な説明】
【０００１】
【発明の属する技術分野】
本発明は蛍光灯の寿命末期時の保護に関するものである。特に、蛍光灯無負荷時を含む、蛍光灯寿命末期の保護回路の簡易化に好適なものである。
【０００２】
【従来の技術】
図１に示す蛍光灯寿命末期時の保護回路３０・３１・３４・３５と蛍光灯が挿入されない場合の保護回路３２・３３を個別に有するものがよく知られている。
【０００３】
【発明が解決しようとする課題】
図１に示すような従来の保護回路方式では蛍光灯寿命末期時の保護回路の閾値３０・３１・３４・３５と、蛍光灯４０が挿入されない場合の保護回路の閾値３２・３３を個別に設ける必要があった。
本発明の目的は、蛍光灯の寿命末期時の保護回路と蛍光灯が挿入されない場合の保護回路を一体化することによって回路の簡略化と、蛍光灯の寿命末期の保護を適当に行わせることである。
【０００４】
【課題を解決するための手段】
蛍光灯が寿命末期となった場合には、通常の点灯時より、蛍光灯４０の放電電圧が高くなることが知られている。したがって、この正常点灯時と寿命末期時の放電電圧の高低を検出することによって保護動作させることができる。
図３に示すように、蛍光灯４０が挿入されない場合には蛍光灯４０の両端に接続したコンデンサ２３とコンデンサ２２によって閉回路を形成し、インバータ回路がコンデンサ負荷で動作することによって、蛍光灯点灯時よりも高い電圧が発生する。この電圧を検出することによって蛍光灯が挿入されない場合の保護を行わせることが可能である。
以上のように、蛍光灯寿命末期時および無負荷時において、同様に蛍光灯の放電電圧の正常点灯時との差異を検出することによって保護動作させることが可能である。
【０００５】
【発明の実施の形態】
図２・図３を用いて本発明の実施形態について説明する。蛍光灯４０が寿命末期となった場合には、正常点灯時より、蛍光灯４０の放電電圧が高くなることが知られている。したがって、この正常点灯時と寿命末期時の放電電圧の高低を検出することによって保護動作させることができる。
蛍光灯４０が挿入されない場合には、蛍光灯４０と並列に接続されたコンデンサ２２・２３によって形成される閉回路によって正常点灯時よりも高い電圧を発生させる。この場合も、蛍光灯４０が正常に点灯する場合よりも高い電圧が発生し、この電圧と正常点灯時の電圧との差異を検出することによって保護動作させることができる。
以上のように、蛍光灯４０が寿命末期時の場合であっても、蛍光灯４０が挿入されない場合であっても、蛍光灯４０の正常点灯時の放電電圧との差異を検出するためことによって保護動作させることが可能である。
【０００６】
【発明の効果】
本発明では、蛍光灯４０が寿命末期時の場合であっても、蛍光灯４０が挿入されない場合であっても、蛍光灯４０の正常点灯時の放電電圧との差異を検出するためことによって保護動作させることが可能であることから、保護回路の簡略化が実現できる。
【図面の簡単な説明】
【図１】従来装置の回路図である。
【図２】本発明装置の回路図である。
【図３】本発明装置における蛍光灯が挿入されない場合の動作説示図である。
【符号の説明】
１０・１１：スイッチング素子
２０：バラスト用インダクタ
２１：予熱コンデンサ
２２・２３：コンデンサ
３０・３１・３２・３３・３４・３５：抵抗
４０：蛍光灯
【図１】
2004207193.tif 000003
【図２】
2004207193.tif 000004
【図３】
2004207193.tif 000005
(57)【要約】【課題】振動を発生する点灯装置の騒音上昇を抑制した温度上昇を低減する放電灯器具の放熱構造を提供する。【解決手段】剛性を有した板材に押出し加工１１を設ける。また、端部１２および周囲１３には、点灯装置３０は器具本体２０に接触させる為に押出し加工は設けずに板状形状とした放熱板１０とする。これにより、点灯装置３０・器具本体２０間に前記放熱板１０を設けネジ４０による締め付け固定した際に、点灯装置３０または器具本体２０のどちらにも接しない未接触部をなくし、騒音上昇を抑制する。【選択図】    図１
2004207192.tif 000002
【特許請求の範囲】
【請求項１】
剛性を有した、板状の放熱板の端部ならびに周囲部を除いた部分に押出し構造を設け空気の対流層を確保した構造で、振動を発生する点灯装置と器具本体間に前記放熱板を挿入し、取付ネジ等で締め込み固定した際に、前記放熱板の端部ならびに周囲部が前記点灯装置または器具本体に接触することにより、前記点灯装置の振動による騒音の上昇を抑制し、また温度上昇を低減することを特徴とした放電灯器具の放熱板構造。
【発明の詳細な説明】
【０００１】
【発明の属する技術分野】
本発明は振動を発生する点灯装置の騒音上昇を抑制した放電灯器具の放熱板構造に関する。
【０００２】
【従来の技術】
従来の技術では、振動を発生する点灯装置の温度低減に板厚の薄い波形形状の放熱板を点灯装置と器具本体の間に設け、点灯装置のネジによる締め込み固定により、点灯装置と器具本体を密着接触と同様の状態とし、温度上昇の低減を図っていたが、剛性が弱く輸送等での大きな変形による透き間や、端部の点灯装置、器具本体に接触していない部分より生じる振動による騒音面で問題があつた。
【０００３】
【発明が解決しようとする課題】
従来技術では、振動を発生する点灯装置の温度上昇の低減に前述の波形形状の放熱板を使用していたが、振動の大きな点灯装置への使用時に騒音の上昇傾向が生じた。
本発明によれば、剛性を有した板状の放熱板に押出しを設けた構造と端部を点灯装置または器具本体に接触する構造とすることにより、輸送衝撃等による容易な変形や、変形による透き間状の未接触部を防ぎ、点灯装置の振動による騒音の上昇抑制が可能となり、押出し高さ寸法分の空気対流層が確保され、放熱による温度上昇の低減が可能となる。
【０００４】
【課題を解決するための手段】
上記目的を達成するために、剛性を有した板材に押出し加工を設ける。また、端部および周囲には、点灯装置または器具本体に接触させる為に押出し加工は設けずに板状形状とした放熱板とする。これにより、点灯装置と器具本体間に前記放熱板を設けネジによる締め付け固定した際に、点灯装置または器具本体のどちらにも接しない未接触部をなくし、騒音上昇を抑制する。
【０００５】
【発明の実施の形態】
本発明の実施形態を図１〜２を用いて説明する。図１は本発明放熱板の姿図を示しており、本発明放熱板１０・器具本体２０・点灯装置３０・取付ネジ４０・取付ナット４Ｌ・反射板５０から構成される。放熱板１０は剛性を持たせた板材に端部１２および周囲部１３を除いた位置に押出しを設け、空気対流層１４を作ることにより放熱を図る。
図２は本発明放熱板取付時断面図を示しており、放熱板１０は点灯装置３０・器具本体２０の間に挿入し取付ネジ４０・取付ナット４１にて締め付け固定した際に、端部１２および周囲部１３が点灯装置３０に接触し、未接触状態を防ぐため、点灯装置３０より発生する振動による騒音上昇を抑制し、温度上昇を低減することが可能となる。
【０００６】
【発明の効果】
本発明によれば、振動を発生する点灯装置の騒音上昇を抑制した温度上昇を低減する放熱構造が可能となる。
【図面の簡単な説明】
【図１】本発明放熱構造の要部分解斜視図である。
【図２】その放熱板取付時の断面図である。
【図３】従来放熱構造の要部分解斜視図である。
【図４】その放熱板取付時の断面図である。
【符号の説明】
１０：放熱板、１１：押出し部、１２：端部、１３：周囲部、１４：空気対流層、２０：器具本体、３０：点灯装置、３１：点灯装置ゴム座、４０：取付ネジ、４１：取付ナット、５０：反射板、６０：従来放熱板、６Ｌ：端部末接触部、６２：変形による未接触部
【図１】
2004207192.tif 000003
【図２】
2004207192.tif 000004
【図３】
2004207192.tif 000005
【図４】
2004207192.tif 000006
(57)【要約】【課題】新光源、同性能の小型ダウンライトを天井材に加工しないで既設埋込穴に取付ける。【解決手段】上記目的を解決する為に小型ダウンライト用埋込穴を設けた天井取付金具を既設ダウンライト埋込穴から天井裏へ挿入して既設理込穴の上面に乗せ置き、小型ダウンライト用埋込穴と取付バネを設けた天井取付枠で天井材を挟み込むようにして取付バネで天井取付金具に取付けできるようにすることにより、小型ダウンライト用埋込穴から小型ダウンライトを取付けことが可能となる。【選択図】    図１
2004207191.tif 000002
【特許請求の範囲】
【請求項１】
既設ダウンライト用埋込穴に外径の異なるダウンライトを取付けるための天井支持材の構造において既設埋込穴の直径より短くした短辺と既設埋込穴の直径より長い長辺からなる長方形の天井取付金具の中心に、施工するダウンライトの埋込穴を備え、長辺側の両端に既設埋込穴の内面にあたるガイドを設け、更に短辺側の天井取付金具上の両側に埋込穴の中心から対角になる位置に角穴を設け、既設埋込穴の直径より大きい外径からなる天井取付枠の中心に、施工するダウンライトの埋込穴を備え、更に埋込穴の中心から対角になる位置に取付バネを設け、前記天井取付金具の短辺側から既設埋込穴へ挿入し前記既設埋込穴の上へ乗せて置き、前記天井取付枠の取付バネを前記天井取付金具に設けた角穴へ入れこみ、前記天井取付枠を持ち上げることにより取付バネの吸引力により前記既設埋込穴を挟み込み、前記天井取付金具と前記天井取付枠が固定されることにより施工されるダウンライトの埋込穴を設けることができることを特徴とした天井支持材。
【発明の詳細な説明】
【０００１】
【発明の属する技術分野】
本発明は既設ダウンライト用埋込穴に外径の異なるダウンライトを取付けて使用するための天井支持材に関する。
【０００２】
【従来の技術】
従来は既設ダウンライトの埋込穴に適合するダウンライトを使用しなければならず、新光源、同性能の小型ダウンライトでは既設埋込穴に取付けられなかった。
【０００３】
【発明が解決しようとする課題】
上記従来技術は既設埋込穴に適合するダウンライトが必要であり、新光源、同性能の小型ダウンライトを天井材に加工しないで既設埋込穴に取付けることを目的とする。
【０００４】
【課題を解決するための手段】
上記目的を解決する為に小型ダウンライト用埋込穴を設けた天井取付金具を既設ダウンライト埋込穴から天井裏へ挿入して既設理込穴の上面に乗せ置き、小型ダウンライト用埋込穴と取付バネを設けた天井取付枠で天井材を挟み込むようにして取付バネで天井取付金具に取付けできるようにすることにより、小型ダウンライト用埋込穴から小型ダウンライトを取付けことが可能となる。
【０００５】
【発明の実施の形態】
以下本発明の一実施例を図より説明する。
天井取付金具１の形状は、短辺を既設ダウンライト用埋込穴９の直径より短くし、長辺を既設ダウンライト用埋込穴９の直径より長くした長方形とし、天井取付金具１の中心に小型ダウンライト用埋込穴３を設け、長辺の両端に既設ダウンライト用埋込穴９の内面に当るガイド２を設け、短辺側の天井取付金具１上の両側に角穴４を設ける。天井取付金具１の短辺側から天井材８に設けてある既設ダウンライト用埋込穴９へ挿入し、天井裏から天井取付金具１のガイド２が既設ダウンライト用埋込穴９の内面に当るように乗せ置く。
天井取付枠５の外径は既設ダウンライト用埋込穴９の直径より大きい外径とし、天井取付枠６の中心に小型ダウンライト用埋込穴６を設け、天井取付枠５上に小型ダウンライト用埋込穴６の中心から対角になるように取付バネ７を設ける。天井取付枠５の取付バネ７を天井取付金具１の角穴４に差込み天井取付枠５を持ち上げることにより、取付バネ７の吸引力により、天井材８を挟み込んで天井取付枠６が固定される。天井取付枠５の小型ダウンライト用埋込穴６から小型ダウンライト９を入れ天井取付金具１の小型ダウンライト用埋込穴３に通すことにより、小型ダウンライト９を天井取付金具１に固定することができる。
【０００６】
【発明の効果】
本発明によれば、既設ダウンライト用埋込穴を利用して外径の異なるダウンライトが施工できる。
【図面の簡単な説明】
【図１】本発明によるダウンライト取付け前の分解斜視図である。
【図２】本発明によるダウンライト取付状態の斜視図である。
【図３】既設ダウンライト天井取付状態の側面図である。
【図４】本発明による天井取付金具取付時の側面図である。
【図５】本発明による天井取付枠取付時の側面図である。
【図６】本発明による天井取付金具と天井取付枠の天井取付状態の側面図である。
【図７】本発明によるダウンライト取付状態の側面図である。
【符号の説明】
１．．．天井取付金具、２．．．ガイド、３．．．小型ダウンライト用埋込穴、４．．．角穴、５．．．天井取付枠、６．．．小型ダウンライト用埋込穴、７．．．取付バネ、８．．．天井材  ９．．．既設ダウンライト用埋込穴、１０．．．小型ダウンライト、１１．．．既設ダウンライト
【図１】
2004207191.tif 000003
【図２】
2004207191.tif 000004
【図３】
2004207191.tif 000005
【図４】
2004207191.tif 000006
【図５】
2004207191.tif 000007
【図６】
2004207191.tif 000008
【図７】
2004207191.tif 000009
(57)【要約】【課題】略Ｕ字形ホルダーを反射板表面より装着し、ランプのゆれ・振動を完全になくすことにより、信頼性をより向上させた長尺ランプの防振ホルダーを有する蛍光灯器具を提供する。【解決手段】一面開放形の断面コ字状の器具本体１を備え、前記器具本体１の開放面側を全面的に覆うように配置される略逆笠形断面の反射板２を備え、前記器具本体１に前記反射板２を着脱自在に装着する化粧ねじ５を備え、長尺な蛍光ランプ６の略中央部でランプ６のゆれ・振動を抑える略Ｕ字形ホルダー３を備える蛍光灯器具において、前記反射板２の表面にホルダー３の１個に対し１対の嵌合穴を形成し、略Ｕ字形ホルダー３の自由端側にはランプ６を着脱自在にでき、ゆれを抑える弾性を有するランプ保持部分を形成し、Ｕ字の底部はランプ装着時に先端が接するようにばね性を備えた自由端側に凸形状とし、Ｕ字部底部の左右側面には開放側とは反対方向に嵌勘爪を装備し、反射板２の嵌合穴に係合させる過程において、Ｕ字底部３６の近傍の側面をつまみ、反射板２の嵌勘穴に嵌勘後離し装着するようにホルダーの形状を定めた。【選択図】    図２
2004207196.tif 000002
【特許請求の範囲】
【請求項１】
一面開放形の断面コ字状の器具本体を備え、前記器具本体の開放面側を全面的に覆うように配置される笠形断面の反射板を備え、前記器具本体に前記反射板を着脱自在に装着する化粧ねじを備え、長尺な蛍光ランプの略中央部でランプのゆれや振動を抑える略Ｕ字形ホルダーを備える蛍光灯器具において、前記反射板の表面にホルダー１個に対し１対の嵌合穴を形成し、略Ｕ字形ホルダーの自由端側にはランプを着脱自在にでき、ゆれを抑える弾性を有するランプ保持部分を形成し、Ｕ字左右の側面部から自由端部とは逆方向に、凸形状の幅の広い側を先端にした係り爪を形成し、Ｕ字の底部中央部はランプ装着時に先端部が接するよう自由端方向へ凸形状に成形し、反射板は凸形状の係り穴を幅の広い側を向き合わせて設け、係合する過程において略Ｕ字形ホルダーのＵ字底部近傍の側面に内側方向へ力を加え、凸形状の係り爪を反射板に設けた係り穴の幅の広い部分と同じ幅に合わせ係り爪を挿入し、略Ｕ字形ホルダーへ加えていた力を緩め嵌勘させ、ランプを装着すると、Ｕ字の底部から自由端側に凸形状に成形した部分と、自由端側のランプを着脱自在にでき、ゆれを抑える弾性を有するランプ保持部分によりランプを保持することを特徴とする蛍光灯器具。
【発明の詳細な説明】
【０００１】
【発明の属する技術分野】
本発明は、ランプのゆれを抑える略Ｕ字形ホルダーを有する蛍光灯器具において、反射板表面より略Ｕ字形ホルダーを取り付けし、ランプ装着時にランプが略Ｕ字形ホルダーの底部側に動かないように、略Ｕ字形ホルダーの底部より、自由端側に凸形状に成形した部分を設けられている、略Ｕ字形ホルダーの構造に関するものである。
【０００２】
【従来の技術】
従来は、反射板裏面よりランプホルダーを取り付け、Ｕ字の開放側の左右に位置するランプ指示部によりランプを挟み込みランプを保持していた。そのため反射板を器具本体に取り付け後はランプホルダーを取り付けすることができず、反射板裏面より取り付けるため取り付け作業性が悪く、Ｕ字の底部側に対してはランプの動きを止めることができずゆれ・振動によるランプの動きを完全に止めランプを保持することができなかった。
【０００３】
【発明が解決しようとする課題】
本発明の目的は、反射板表面より略Ｕ字形ホルダーを取り付けることができ、略Ｕ字形ホルダーの底部方向へのランプの動きを止め、長尺な蛍光ランプを完全に保持し信頼性を向上させた蛍光灯器具を提供することにある。
【０００４】
【課題を解決するための手段】
上記目的を達成するために、一面開放形の断面コ字状の器具本体を備え、前記器具本体の開放面側を全面的に覆うように配置される略逆笠形断面の反射板を備え、前記器具本体に前記反射板を着脱自在に装着する化粧ねじを備え、長尺な蛍光ランプの略中央部でランプのゆれ・振動を抑える略Ｕ字形ホルダーを備える蛍光灯器具において、前記反射板の表面にホルダー１個に対し１対の嵌合穴を形成し、略Ｕ字形ホルダーの自由端側にはランプを着脱自在にでき、ゆれを抑える弾性を有するランプ保持部分を形成し、Ｕ字の底部はランプ装着時に先端が接するようにばね性を備えた自由端側に凸形状とし、Ｕ字部底部の左右側面には開放側とは反対方向に嵌勘爪を装備し、反射板の嵌合穴に係合させる過程において、Ｕ字底部の近傍の側面をつまみ、反射板の嵌勘穴に嵌勘後離し装着するようにホルダーの形状を定めた。
【０００５】
【発明の実施の形態】
図１から図３を用いて、本発明の実施形態について説明する。図示の蛍光灯器具は、一面開放形の断面コ字状の器具本体１を備え、前記器具本体１の開放面側を全面的に覆うように配置される笠形断面の反射板２を備え、前記器具本体１に前記反射板２を着脱自在に装着する反射板取付用の化粧ねじ５を備え、一対のランプソケット４で保持される長尺な蛍光ランプ６の略中央部でランプのゆれ・振動を抑える弾性を有する略Ｕ字形ホルダー３を備える。
反射板２のほぼ中央部にホルダーを取付けるための嵌合穴３１を設け、略Ｕ字形ホルダー３にはＵ字部３３、ランプ支持部３４、反射板へホルダーを固定するひっ掛け爪３１を備える。
略Ｕ字形ホルダー３の底部近傍の側面をつまみ、ひっ掛け爪３１が反射板２に設けられた凸形状の係り穴３２の幅の広い部分よりひっ掛け爪３１を挿入し、Ｕ字部３３の弾性により幅の狭い部分へ移動し係り止めされる。
蛍光ランプ６を装着すると、略Ｕ字形ホルダー３のＵ字部と支持部３３で支持され各方向に対しランプのゆれ・振動を抑えることができる。
以上により、ランプを確実に保持し固定する信頼性を向上させた、略Ｕ字形ホルダー３を有した蛍光灯器具を提供できる。
【０００６】
【発明の効果】
本発明によれば、反射板表面より略Ｕ字形ホルダーを取り付けることができ、長尺な蛍光ランプの略中央部でランプのゆれ・振動を完全に抑えることができ、ランプを確実に保持し固定する信頼性を向上させた蛍光灯器具を提供できる。
【図面の簡単な説明】
【図１】本発明品使用の器具外観図である。
【図２】本発明による略Ｕ字形ホルダーと反射板の嵌合前の要部斜視図である。
【図３】本発明による略Ｕ字形ホルダーと反射板を嵌合させランプ装着時の断面図である。
【符号の説明】
１：器具本体、２：反射板、３：略Ｕ字形ホルダー、３１：ひっ掛け爪、３２：係り穴、３３：Ｕ字部、３４：ランプ支持部、３５：係り爪、３６：底部、３７：角穴、４：ソケット、５：化粧ねじ、６：ランプ
【図１】
2004207196.tif 000003
【図２】
2004207196.tif 000004
【図３】
2004207196.tif 000005
(57)【要約】【課題】本体に略コ字形の反射板６を嵌合係止させるだけで特に金具等を用いず容易に本体と反射板６の電気的な接続を可能として、保護接地（アース）の連続性を得る。【解決手段】下面を開放した本体１、本体に取り付られる点灯装置２、本体長手方向の両端面を閉じランプソケット４を保持するソケット台３、点灯装置２や内部配線を覆うとともに蛍光ランプ５からの光を有効的に反射させる反射板６とを備えた蛍光灯器具において、ソケット台３の一部に嵌合係止片３２、本体１の反射板取付部１２よりわずかに突き出る寸法の導通用突起３３を備え、本体の長手側面に嵌合部１２と嵌合係止片３２，導通用突起３３に対応する位置に嵌合穴１１を備え、略コ字形反射板６には立ち上がり部６１の内側を折り返した６２を備えた構成とした。【選択図】    図１
2004207198.tif 000002
【特許請求の範囲】
【請求項１】
下面を開放した本体、本体に取り付られる点灯装置、本体長手方向の両端面を閉じランプソケットを保持するソケット台、点灯装置や内部配線を覆うとともに蛍光ランプからの光を有効的に反射させる反射板とを備えた蛍光灯器具において、本体両端面を閉じランプソケットを保持するのソケット台の一部に複数の嵌合係止片を備えるとともに、本体長手側面下方で反射板の嵌合する部分に突出する１個または複数個の突起を設け、反射板を本体に嵌合したとき前記の突起部に反射板の内面が当接するように設けたことを特徴とする蛍光灯器具。
【発明の詳細な説明】
【０００１】
【発明の属する技術分野】
本体に嵌合係止される反射板を有するトラフ形器具において、反射板を嵌合取付しただけで本体と反射板の電気的な接続を可能とする本体および反射板の取付構造に関するものである。
【０００２】
【従来の技術】
従来の技術においては、略コ字形の反射板の長手両端部を折り曲げ、本体の下端のカール部または段付け部に嵌合係止する取付け方式が一般的であり、反射板と本体間の電気的な接合に関しては特に配慮されていないため、本体と反射板の保護接地（アース）の連続性が得られない問題があった。
【０００３】
【発明が解決しようとする課題】
本発明は、上記従来技術の問題点を解決するため、ソケット台の一部に１個または複数個の突起を設け、本体の両端部に嵌合係止したときに本体の側面にわずかに突出する構成とした。この状態の本体に略コ字形の反射板を嵌合係止させるだけで特に金具等を用いず容易に本体と反射板の電気的な接続を可能として、保護接地（アース）の連続性を得ることを目的とするものである。
【０００４】
【課題を解決するための手段】
下面を開放した本体１、本体に取り付られる点灯装置２、本体長手方向の両端面を閉じランプソケット４を保持するソケット台３、点灯装置２や内部配線を覆うとともに蛍光ランプ５からの光を有効的に反射させる反射板６とを備えた蛍光灯器具において、ソケット台３の一部に嵌合係止片３２、本体１の反射板取付部１２よりわずかに突き出る寸法の導通用突起３３を備え、本体の長手側面に嵌合部１２と嵌合係止片３２，導通用突起３３に対応する位置に嵌合穴１１を備え、略コ字形反射板６には立ち上がり部６１の内側を折り返した６２を備えた構成とした。
ソケット台３は本体嵌合穴１１に嵌合後、嵌合係止片３２を折り曲げることで本体に固定される。このとき導通用突起３３は本体の反射板取付部１２よりわずかに突き出ている。この状態で反射板６の立ち上がり部６１を本体の反射板取付部１２に挿入していくと、本体よりわずかに突き出た突起３３に反射板の折り曲げ部６２が当接しながら嵌合係止し、反射板の防錆用の塗膜が剥離され本体１と反射板６の電気的な接続が容易にかつ確実に得られる構成とした。反射板６と本体１の嵌合は反射板の立ち上がり部６１の弾発力により確実に軽視されるため、本体と反射板の保護接地の連続性が得られる蛍光灯器具を提供することができる。
【０００５】
【発明の実態の形態】
下面を開放した本体１、本体に取り付られる点灯装置２、本体長手方向の両端面を閉じランプソケット４を保持するソケット台３、点灯装置２や内部配線を覆うとともに蛍光ランプ５からの光を有効的に反射させる反射板６とを備えた蛍光灯器具において、
ソケット台３の一部に嵌合係止用片３２、本体１の反射板取付部１２よりわずかに突き出る寸法の導通用突起３３を備え、本体の長手側面に嵌合部１２と嵌合係止片３２，導通用突起３３に対応する位置に嵌合穴１１を備え、略コ字形反射板６には立ち上がり部６１の内側を折り返した６２を備えた構成とした。
ソケット台３は本体嵌合穴１１に嵌合後、嵌合係止片３２を折り曲げることで本体に固定される。このとき導通用突起３３は本体の反射板取付部１２よりわずかに突き出ている。この状態で反射板６の立ち上がり部６１を本体の反射板取付部１２に挿入していくと、本体よりわずかに突き出た突起３３に反射板の折り曲げ部６２が当接しながら嵌合係止し、反射板の防錆用の塗膜が剥離され本体１と反射板６の電気的な接続が容易にかつ確実に得られる構成とした。反射板６と本体１の嵌合は反射板の立ち上がり部６１の弾発力により確実に軽視されるため、特別な部品を必要とせず，従来と同じ反射板取付操作のみで容易にかつ確実な本体と反射板の保護接地の連続性が得られる、また、導通用突起３３は反射板６により覆われ外観上に現れないため美観を損なうことがない蛍光灯器具を提供することができる。
【０００６】
【発明の効果】
本体１のに反射板６を嵌合係止する従来と同一の組立操作のみで施工性も従来と同等で、本体側面よりわずかに突き出した導通用突起３３により、本体１と反射板６の電気的な接続が得られ、保護接地（アース）の連続性が容易にかつ確実に得られ経済的でより安全な器具を提供できる。また、導通用突起３３は反射板６により覆われ外観上に現れないため美観を損なうことがない蛍光灯器具を提供することができる。
さらに、本体と反射板の保護接地（アース）の連続性により、電子安定器化に伴う雑音端子電圧や放射ノイズの抑制効果が得られ、信頼性の高い蛍光灯器具の提供が可能となる。
【図面の簡単な説明】
【図１】本発明による蛍光灯器具の１例を示す断面図である。
【図２】その蛍光灯器具の本体端部とソケット台の部分分解図である。
【図３】その蛍光灯器具の外観を示す図である。
【図４】従来器具の嵌合部を示す図である。
【部品符号の説明】
１：本体１、２：点灯装置２、４：ランプソケット、３：ソケット台３、５：蛍光ランプ５、６：反射板６、３２：嵌合係止片、１２：反射板取付部、３３：導通用突起、１１：嵌合穴、６１：立ち上がり部、６２：折り返し
【図１】
2004207198.tif 000003
【図２】
2004207198.tif 000004
【図３】
2004207198.tif 000005
【図４】
2004207198.tif 000006
(57)【要約】【課題】従来はランプソケットの配置上、非対称配光器具兼用としては使用できなかった。その使用を可能とする。【解決手段】天井面に埋込まれる下面開放形の器具本体１を備える。前記器具本体１の下面側に該本体１の長手方向に沿って配置される一対の蛍光ランプ５を備える。前記器具本体１の両端部に該本体１の短手方向に沿って装着される一対のソケット取付け台３を備える。前記各ソケット取付け台３に前記短手方向に沿って都合４個のソケット取付部を形成する。前記各ランプソケット４に前記各蛍光ランプ５の両端を着脱自在に装着する。前記４個のうちの一方側寄りの２個のソケット取付部に装着されるランプソケット４を備える。残りの２個のソケット取付部にはランプソケット４を装着せず、前記各ランプソケット４に前記各蛍光ランプ５の両端を着脱自在に装着し、前記器具本体１内に前記各蛍光ランプ５の光を前記短手方向に沿って非対称となるように下向きかつ短手方向中央へ向かうように反射させる反射笠７を装着する。【選択図】    図１
2004207195.tif 000002
【特許請求の範囲】
【請求項１】
天井面に埋込まれる下面開放形の器具本体を備え、前記器具本体の下面側に該本体の長手方向に沿って配置される一対の蛍光ランプを備え、前記器具本体の両端部に該本体の短手方向に沿って装着される一対のソケット取付け台を備え、前記各ソケット取付け台に前記短手方向に沿って都合４個のソケット取付部を形成し、前記４個のうちの一方側奇りの２個のソケット取付部に装着されるランプソケットを備え、残りの２個のソケット取付部にはランプソケットを装着せず、前記各ランプソケットに前記各蛍光ランプの両端を着脱自在に装着し、前記器具本体内に前記各蛍光ランプの光を前記短手方向に沿って非対称となるように下向きかつ短手方向中央へ向かうように反射させる反射笠を装着したことを特徴とする天井埋込形蛍光灯器具。
【発明の詳細な説明】
【０００１】
【発明の属する技術分野】
本発明は、対称配光と非対称配光兼用天井埋込形蛍光灯器具に関する。
【０００２】
【従来の技術】
天井面に埋込まれる下面開放形の器具本体を備え、前記器具本体の下面側に該本体の長手方向に沿って配置される一対の蛍光ランプを備え、前記器具本体の両端部に該本体の短手方向に沿って装着される一対のソケット取付け台を備え、前記各ソケット取付け台に前記短手方向に沿って２〜３個のソケット取付部を形成し、前記各ランプソケットに前記各蛍光ランプの両端を着脱自在に装着し、通常、ソケット取付部の両端にランプソケットを装着し、対称配光器具として使用するが、ランプソケットの配置上、非対称配光器具としては使用できなかった。
【０００３】
【発明が解決しようとする課題】
前記技術はランプソケットの配置上、非対称配光器具兼用としては使用できなかった。本発明の目的は、前記した問題を解決した器具を提供することにある。
【０００４】
【課題を解決するための手段】
上記目的を達成するために、各ソケット取付け台に短手方向に沿って都合４個のソケット取付部を形成し、各ランプソケットに前記各蛍光ランプの両端を着脱自在に装着し、非対称配光器具が必要な場合、既取付対称配光用反射板を外し、前記４個のうちの一方側寄りの２個のソケット取付部にランプソケットを装着し、残りの２個のソケット取付部にはランプソケットを装着せず、前記器具本体内に前記各蛍光ランプの光を前記短手方向に沿って非対称となるように下向きかつ短手方向中央へ向かうように反射させる反射笠を装着可能とすることにより対称配光と非対称配光兼用を実現した。
通常は、ソケット取付部の両端にランプソケットを装着し、対称配光器具として使用する。非対称配光器具が必要な場合、既取付対称配光用反射板を外し、前記４個のうちの一方側寄りの２個のソケット取付部にランプソケットを装着し、残りの２個のソケット取付部にはランプソケットを装着せず、前記器具本体内に前記各蛍光ランプの光を前記短手方向に沿って非対称となるように下向きかつ短手方向中央へ向かうように反射させる反射笠を装着し、対称配光と非対称配光を兼用とする。
【０００５】
【発明の実施の形態】
本発明の実施形態を図１及び図２により説明する。本器具は、器具本体１、対称配光用反射板２、ソケット取付台３、ランプソケット４、ランプ５、安定器６で主に構成されている。対称配光器具として使用する場合、ランプソケットは、第１図の左図に示す様にソケット取付台の４個のソケット取付部の両端に配置する。非対称配光器具として使用する場合は、第１図の右図に示す様に対称配光用反射板２を外し、ソケット取付台の４個のソケット取付部の一方側寄りの２個のソケット取付部にランプソケットを取り付け、ソケット取付台の位置を上げ、非対称配光用反射板７を装着する。逆も可能である。
本実施例によれば、対称配光器具と非対称配光器具の兼用ができる。
【０００６】
【発明の効果】
本発明によれば、対称配光器具と非対称配光器具の兼用ができ、器具所有者に対し、工事費削減と利便性を提供できる。
【図面の簡単な説明】
【図１】本発明による実施例を説明するための断面図である。
【図２】その斜視図である。
【符号の説明】
１：器具本体、３：ソケット取付台、４：ランプソケット、５：ランプ、６：安定器、７：非対称配光用反射板、８：ルーバ
【図１】
2004207195.tif 000003
【図２】
2004207195.tif 000004
(57)【要約】【課題】消費電力・発熱を抑制し、小形化をはかる。【解決手段】蛍光灯回路５０は誘導性回路であるため、出力周波数が高めると蛍光ランプ５２出力が制限され、調光がなされる。ファン回路６０は進相用のコンデンサ６４を含む容量回路である。出力周波数が高まると、ファンモータ６３出力が増大し、送風量が増す。よって、光出力を最大としたときに送風量を制限し、送風量を最大としたときに光出力を制限する特性となる。これにより、光出力が最大となり、かつ送風量も最大となる大電力消費の運用を回避し、全体の消費電力を抑制し、発熱量を抑制し、調光形照明灯の小形化を実現する。【選択図】    図１
2004207197.tif 000002
【特許請求の範囲】
【請求項１】
調光形点灯装置を備え、前記調光形点灯装置から給電を受けて点灯する光出力可変形の光源を備え、マイナスイオン発生器を備え、マイナスイオンを送風する送風量可変形のファンを備え、前記光出力を最大としたときに前記送風量を制限し、前記送風量を最大としたときに前記光出力を制限することを特徴とするマイナスイオン発生器付きの調光形照明灯。
【発明の詳細な説明】
【０００１】
【発明の属する技術分野】
本発明はマイナスイオン発生器付き調光形照明灯に関する。
【０００２】
【従来の技術】
調光形点灯装置を備え、前記調光形点灯装置から給電を受けて点灯する光出力可変形の光源を備え、マイナスイオン発生器を備え、マイナスイオンを送風する送風量可変形のファンを備えるマイナスイオン発生器付き調光形照明灯は普通の照明灯よりも消費電力大・発熱大となり、器具外郭も大形となる。
【０００３】
【発明が解決しようとする課題】
本発明は消費電力・発熱を抑制し、小形化をはかることを目的とするものである。
【課題を解決するための手段】
本発明は光出力を最大としたときに送風量を制限し、前記送風量を最大としたときに前記光出力を制限する。
【０００４】
【発明の実施の形態】
図１は本発明に係る調光形照明灯の回路図である。この図１を用いて、本発明の実施形態について説明する。１０はマイナスイオン発生器、２０は商用電源、３０は整流回路、４０は点灯用インバータである。点灯用インバータ４０はスイッチング素子４１・４２、フライホイールダイオード４３・４４、アーム用コンデンサ４５・４６、高周波出力端子Ａ・Ｂを含む。５０は蛍光灯回路である。蛍光灯回路５０はバラストインダクタ５１、蛍光ランプ５２、予熱用コンデンサ５３を含む。６０はファン回路である。ファン回路６０はダウントランス６１、整流回路６２、ファンモータ６３、コンデンサ６４を含む。
商用電源２０で、マイナスイオン発生器１０が付勢され、また整流回路３０・点灯用インバータ４０が付勢される。点灯用インバータ４０の高周波出力で、蛍光灯回路５０・ファン回路６０を付勢される。ファンモータ６３には図外のファンが付属し、マイナスイオン発生器１０に生ずるマイナスイオンを送風する。
点灯用インバータ４０は調光形であり、スイッチング素子４１・４２に付属する図外のスイッチング制御回路で点灯用インバータ４０の出力周波数を適宜に可変する。蛍光灯回路５０は誘導性回路であるため、出力周波数が高めると蛍光ランプ５２出力が制限され、調光がなされる。出力周波数を低めると、蛍光ランプ５２出力が増し、光出力が増大する。
ファン回路６０は進相用のコンデンサ６４を含む容量回路である。出力周波数が高まると、ファンモータ６３出力が増大し、送風量が増す。よって、光出力を最大としたときに送風量を制限し、送風量を最大としたときに光出力を制限する特性となる。これにより、光出力が最大となり、かつ送風量も最大となる大電力消費の運用を回避し、全体の消費電力を抑制し、発熱量を抑制し、調光形照明灯の小形化を実現する。小形であると、熱がこもり、過熱するが、本発明においては発熱量を抑制し、過熱を緩和する。
【０００５】
【発明の効果】
光源の光出力を最大としたときにファン送風量を制限し、ファン送風量を最大としたときに光源の光出力を制限することにより、最大電力を抑制し、発熱を抑え、照明灯の小形化を実現する。
【図面の簡単な説明】
【図１】本発明に係るよるマイナスイオン発生器付きの調光形照明灯の回路図である。
【符号の説明】
１０：マイナスイオン発生器  ２０：商用電源  ３０：整流回路
４０：点灯用インバータ
４１・４２：スイッチング素子  ４３・４４：フライホイールダイオード
４５・４６：アーム用コンデンサ  Ａ・Ｂ：高周波出力端子
５０：蛍光灯回路
５１：バラストインダクタ  ５２：蛍光ランプ  ５３：予熱用コンデンサ
６０：ファン回路
６１：ダウントランス  ６２：整流回路  ６３：ファンモータ  ６４：コンデンサ
【図１】
2004207197.tif 000003
(57)【要約】【課題】電極をガラスバルブの両端部に直接的に封着した場合の封着強度を高める。【解決手段】有底筒状でかつ外表面が凹凸状の電極５ａ，５ｂをそれぞれガラスバルブ１の両端部に一体的に封着する。この構成により、電極５ａ，５ｂとガラスバルブ１との封着面積を拡大する。【選択図】      図１
2004207056.tif 000002
【特許請求の範囲】
【請求項１】
ガラスバルブと、
前記ガラスバルブの内壁に形成された蛍光体層と、
前記ガラスバルブに封入された希ガス及び水銀と、
前記ガラスバルブの両端部に一体的に封着された有底筒状でかつ外表面が凹凸状の電極と、
を有することを特徴とする冷陰極蛍光ランプ。
【請求項２】
前記電極に耐スパッタリング用の金属が用いられることを特徴とする請求項１記載の冷陰極蛍光ランプ。
【請求項３】
前記金属は、Ｍｏ、Ｎｂ、Ｔａのうちの少なくとも１つが用いられることを特徴とする請求項２記載の冷陰極蛍光ランプ。
【発明の詳細な説明】
【０００１】
【発明の属する技術分野】
本発明は、液晶表示装置の照明装置等に光源として使用される冷陰極蛍光ランプに関する。
【０００２】
【従来の技術】
図４に示すように、従来の冷陰極蛍光ランプは、直管形のガラスバルブ２１の内壁に紫外線による刺激で発光する蛍光体層２２が形成され、ガラスバルブ２１の内部にネオンやアルゴルを用いた希ガス２３や水銀２４が放電媒体として封入される。ガラスバルブ２１の両端の内部にそれぞれ有底筒状の電極２５ａ、２５ｂが配置される。電極２５ａ、２５ｂの底面部にはそれぞれリード線２７ａ、２７ｂがガラスバルブ２１の外部に延出するように接続される。リード線２７ａ、２７ｂは各電極の底面部からガラスバルブ２１の最先端に至るまでの部分でそれぞれ封着線２８ａ、２８ｂにより覆われる。封着線２８ａ、２８ｂは、それぞれビードガラス２９ａ、２９ｂを介してガラスバルブ２１の端部に封着される。
【０００３】
【発明が解決しようとする課題】
電極が配置された部分では蛍光体層が発光しないため、図４に示した冷陰極蛍光ランプでは、ビードガラス２９、封着線２８、電極２５の長さの分だけ管軸方向の有効発光長が短くなる。有効発光長を長くするためには、電極をガラスバルブの端部に直接的に封着することが考えられる。この場合、電極とガラスバルブとの封着に際して十分な封着強度が確保できないと、冷陰極蛍光ランプの両端部を照明装置の所定位置に着脱するときに、電極とガラスバルブの封着部分に剥離等が起こり、冷陰極蛍光ランプの照度等の性能を劣化させるおそれがある。
【０００４】
本発明は、上記に鑑みてなされたものであり、その目的とするところは、電極をガラスバルブの両端部に直接的に封着した場合の封着強度を高くし得る冷陰極蛍光ランプを提供することにある。
【０００５】
【課題を解決するための手段】
本発明に係る冷陰極蛍光ランプは、ガラスバルブと、前記ガラスバルブの内壁に形成された蛍光体層と、前記ガラスバルブに封入された希ガス及び水銀と、前記ガラスバルブの両端部に一体的に封着された有底筒状でかつ外表面が凹凸状の電極と、を有することを特徴とする。
【０００６】
本発明にあっては、有底筒状の電極の外表面を凹凸状としたことで、電極をガラスバルブの両端に一体的に封着する際の封着面積を大きくして、封着強度を高めるようにしている。
【０００７】
【発明の実施の形態】
以下、本発明の実施の形態について図面を用いて説明する。
【０００８】
図１に示すように、本実施の形態における冷陰極蛍光ランプは、直管形のガラスバルブ１の内壁に紫外線による刺激で発光する蛍光体層２が形成され、ガラスバルブ１の内部にネオンやアルゴルを用いた希ガス３及び水銀４が放電媒体として気密に封入される。ガラスバルブ１の両端には有底筒状で外表面が凹凸状の電極５ａ，５ｂがそれぞれ底面部を外側に向けた状態でガラスバルブ１と一体的に封着される。電極５ａ，５ｂの材質には、耐スパッタリングに適した金属が用いられる。この金属としては、モリブデン（Ｍｏ）、ニオブ（Ｎｂ）、タングステン（Ｔａ）のうちの少なくとも１つが用いられる。電極５ａ，５ｂの底部は肉厚であり、底面部にリード線７ａ，７ｂがそれぞれ半田付けされる。蛍光体層２には、赤、青、緑を混合した３波長蛍光体が用いられる。
【０００９】
電極５をガラスバルブ１の端部に配置し、加熱することによってガラスバルブ１の端部の形状が電極５の外表面の凹凸形状に合うように変形し、電極５とガラスバルブ１の端部とが封着する。このように、本実施の形態では、電極５の外表面を凹凸状としたことで、電極５とガラスバルブ１の封着面積を大きくし、封着強度を強くする。
【００１０】
図２に示すように、効果を比較するための比較用の冷陰極蛍光ランプは、有底筒状の電極１５ａ，１５ｂがそれぞれガラスバルブ１１の両端部に封着された構成である。電極１５ａ，１５ｂの外表面は平面状であり、凹凸状にはなっていない。このため、ガラスバルブ１１の電極１５ａ，１５ｂとの封着部分も平面状となっている。その他、図１と同一物には同一の符号を付すこととし、ここでは重複した説明は省略する。
【００１１】
次に、本実施の形態の冷陰極蛍光ランプ（以下「実施例」という）と、比較用の冷陰極蛍光ランプ（以下「比較例」という）の封着強度について図３のグラフを用いて比較する。同図の横軸は電極に接続されたリード線に与える引張り荷重（ｋｇｆ）、縦軸は電極とガラスバルブの封着部分における電極の長さに対する剥離長さの比率である。同図に示すように、比較例に３．４（ｋｇｆ）程度の引張り荷重を与えたときの剥離長さと、実施例に５．７（ｋｇｆ）程度の引張り荷重を与えたときの剥離長さが同程度となった。また、比較例では引張り荷重が３．５（ｋｇｆ）を超えたところで電極１５がガラスバルブ１１から完全に剥離し、実施例では引張り荷重が５．７（ｋｇｆ）を超えたところでリード線が断線した。このように、実施例の方が封着強度が高いことが確認された。
【００１２】
したがって、本実施の形態によれば、有底筒状の電極５ａ，５ｂの外表面を凹凸状としたことで、電極５ａ，５ｂをそれぞれガラスバルブ１の両端に一体的に封着する際の封着面積が拡大するので、電極５ａ，５ｂとガラスバルブ１の封着強度を高めることができる。
【００１３】
【発明の効果】
以上、説明したように、本発明に係る冷陰極蛍光ランプによれば、電極をガラスバルブの両端部に封着した場合の封着強度を高めることができる。
【図面の簡単な説明】
【図１】一実施の形態における冷陰極蛍光ランプの構成を示す軸方断面図である。
【図２】比較例の冷陰極蛍光ランプの構成を示す軸方向断面図である。
【図３】電極とガラスバルブの封着部分の封着強度を示すグラフである。
【図４】従来の冷陰極蛍光ランプの構成を示す軸方向断面図である。
【符号の説明】
１，１１，２１…ガラスバルブ
２，２２…蛍光体層
３，２３…希ガス
４，２４…水銀
５ａ，５ｂ…電極
７ａ，７ｂ…リード線
１５ａ，１５ｂ…電極
２５ａ，２５ｂ…電極
２７ａ，２７ｂ…リード線
２８ａ，２８ｂ…封着線
２９ａ，２９ｂ…ビードガラス
【図１】
2004207056.tif 000003
【図２】
2004207056.tif 000004
【図３】
2004207056.tif 000005
【図４】
2004207056.tif 000006